(57)【特許請求の範囲】
【請求項１】
浴槽の側壁に連通接続されて浴槽内の湯水を循環ポンプの駆動によって循環する追い焚き循環通路と、給湯熱源器により作られた湯を前記追い焚き循環通路を介して浴槽に導くための湯張り通路と、該湯張り通路に設けられて浴槽水位を検出する水位検出手段と、湯張り通路から浴槽へ落とし込まれた注湯量を検出する注湯量検出手段とを有し、給湯熱源器から前記湯張り通路を介して浴槽に湯を断続的に注湯するごとに前記循環ポンプを駆動し、最初に追い焚き循環通路の循環水流が検出されたときの浴槽水位を基準水位として設定し、予め与えられている浴槽水位と注湯量の関係データに基づいて前記基準水位から予め定められた浴槽設定水位に達するのに必要な湯張り通路から浴槽への目標注湯量を求め、上記注湯量検出手段により検出された注湯量を監視しながら上記基準水位から上記目標注湯量の湯水を湯張り通路から浴槽に落とし込んで浴槽設定水位に自動的に湯張りを行う湯張り機能を備えた燃焼機器において、上記湯張り通路から浴槽に上記目標注湯量に向けて湯水を落とし込んでいる注湯動作中に浴槽設定水位が下げ方向に変更されたときには注湯動作を停止し、この停止時の浴槽水位を上記水位検出手段により検出する設定水位下方向変更時水位検出部と；該設定水位下方向変更時水位検出部により検出された浴槽水位が変更後の浴槽設定水位に達していないときには上記設定水位下方向変更時水位検出部により検出された浴槽水位から変更後の浴槽設定水位に達するまでに要する注湯量を上記浴槽水位と注湯量の関係データに基づき求め、この求めた注湯量の湯水を湯張り通路から浴槽に落とし込む設定水位下方向変更後湯張り制御部と；を設けたことを特徴とする湯張り機能付き燃焼機器。
【請求項２】
給湯熱源器により作られた湯を浴槽に導くための湯張り通路と、浴槽水位を検出する水位検出手段と、湯張り通路から浴槽へ落とし込まれた注湯量を検出する注湯量検出手段とを有し、予め与えられている浴槽水位と注湯量の関係データに基づいて上記水位検出手段により検出された浴槽水位に基づき基準水位を設定し該基準水位から予め定められた浴槽設定水位に達するのに必要な湯張り通路から浴槽への目標注湯量を求め、上記注湯量検出手段により検出された注湯量を監視しながら上記基準水位から上記目標注湯量の湯水を湯張り通路から浴槽に落とし込んで浴槽設定水位に自動的に湯張りを行う湯張り機能を備えた燃焼機器において、上記湯張り通路から浴槽に上記目標注湯量に向けて湯水を落とし込んでいる注湯動作中に浴槽設定水位が下げ方向に変更されたときには注湯動作を停止し、この停止時の浴槽水位を上記水位検出手段により検出する設定水位下方向変更時水位検出部と；該設定水位下方向変更時水位検出部により検出された浴槽水位が変更後の浴槽設定水位に達していないときには上記設定水位下方向変更時水位検出部により検出された浴槽水位から変更後の浴槽設定水位に達するまでに要する注湯量を上記浴槽水位と注湯量の関係データに基づき求め、この求めた注湯量の湯水を湯張り通路から浴槽に落とし込む設定水位下方向変更後湯張り制御部と；湯張り通路から浴槽へ目標注湯量に向けて注湯している注湯動作中に浴槽設定水位が上げ方向に変更されたときには、引き続き変更前の浴槽設定水位に基づいて求められた目標注湯量まで注湯を行った後に、水位検出手段により浴槽水位を検出し、該検出された浴槽水位と、浴槽水位と注湯量の関係データとに基づき変更後の浴槽設定水位に達するまでに要する注湯量を求め、該求めた注湯量の湯水を湯張り通路から浴槽に落とし込む設定水位上方向変更後湯張り制御部と；を設けたことを特徴とする湯張り機能付き燃焼機器。
【請求項３】
給湯熱源器により作られた湯を浴槽に導くための湯張り通路と、浴槽水位を検出する水位検出手段と、湯張り通路から浴槽へ落とし込まれた注湯量を検出する注湯量検出手段とを有し、予め与えられている浴槽水位と注湯量の関係データに基づいて上記水位検出手段により検出された浴槽水位に基づき基準水位を設定し該基準水位から予め定められた浴槽設定水位に達するのに必要な湯張り通路から浴槽への目標注湯量を求め、上記注湯量検出手段により検出された注湯量を監視しながら上記基準水位から上記目標注湯量の湯水を湯張り通路から浴槽に落とし込んで浴槽設定水位に自動的に湯張りを行う湯張り機能を備えた燃焼機器において、湯張り通路から浴槽へ目標注湯量に向けて注湯している注湯動作中に浴槽設定水位が上げ方向に変更されたときには、引き続き変更前の浴槽設定水位に基づいて求められた目標注湯量まで注湯を行った後に、水位検出手段により浴槽水位を検出し、該検出された浴槽水位と、浴槽水位と注湯量の関係データとに基づき変更後の浴槽設定水位に達するまでに要する注湯量を求め、該求めた注湯量の湯水を湯張り通路から浴槽に落とし込む設定水位上方向変更後湯張り制御部を設けたことを特徴とする湯張り機能付き燃焼機器。
【発明の詳細な説明】
【０００１】
【発明の属する技術分野】
本発明は、浴槽へ自動的に湯を張ることができる湯張り機能を備えた湯張り機能付き燃焼機器に関するものである。
【０００２】
【従来の技術】
図３には湯張り機能付き燃焼機器である湯張り機能付き給湯器の一例が示されている。この湯張り機能付き給湯器（器具）は、同図に示すように、給湯熱源器である給湯熱交換器１と追い焚き熱源器である追い焚き熱交換器２を有し、上記給湯熱交換器１の入側には水供給源から水を給湯熱交換器１に導くための給水通路３が接続され、給湯熱交換器１の出側には該給湯熱交換器１から流れ出た湯水を台所やシャワー等の給湯場所に導くための給湯通路４が接続されている。
【０００３】
上記追い焚き熱交換器２の一端側には往管５の一端側が接続され、往管５の他端側は循環金具２７を介して浴槽６に連通接続されている。また、追い焚き熱交換器２の他端側には通路７の一端側が接続され、この通路７の他端側は循環ポンプ８の吐出口に接続されている。循環ポンプ８の吸入口には戻り管１０の一端側が接続され、戻り管１０の他端側は上記循環金具２７を介して浴槽６に連通接続されている。上記往管５と追い焚き熱交換器２と通路７と循環ポンプ８と戻り管１０によって浴槽６の湯水を循環ポンプ８の駆動により循環させるための追い焚き循環通路１１が構成されている。
【０００４】
上記追い焚き循環通路１１の通路７と給湯通路４とを連通接続する注湯通路１２が設けられており、この注湯通路１２には該通路の開閉を行う電磁弁により形成された湯張り制御弁１３と、水圧により浴槽６の水位を検出する水位検出手段としての水位センサ１４とが介設されている。上記給湯熱交換器１から給湯通路４と注湯通路１２と追い焚き循環通路１１とを順に通って浴槽６に至るまでの通路によって湯張り通路が構成されている。
【０００５】
また、上記給湯熱交換器１を燃焼加熱する給湯バーナ１５と、追い焚き熱交換器２を燃焼加熱する追い焚きバーナ１６とが設けられており、上記各バーナ１５，１６には燃料ガス供給源に連通された通路（図示せず）から分岐されたガス供給通路１７，１８がそれぞれ接続されている。燃料ガス供給源から各バーナに至るまでの通路には弁開度でもってバーナへの供給燃料ガス量を可変制御する比例弁（図示せず）が介設されている。
【０００６】
なお、図３に示す２０は給水通路３の通水流量を検出する水量センサを示し、２１は給湯熱交換器１に流れ込む入水温度を検出する入水サーミスタを示し、２２は給湯熱交換器１から流れ出た湯水の温度を検出する出湯サーミスタを示し、２３は追い焚き循環通路１１を循環する浴槽湯水の温度を風呂の温度として検出する風呂温度センサを示し、２４は追い焚き循環通路１１の循環湯水流を検出する水流スイッチを示している。
【０００７】
この湯張り機能付き給湯器には給湯運転や湯張り運転や追い焚き運転等の器具運転を制御する制御装置２５が設けられており、この制御装置２５にはリモコン２６が接続されている。上記リモコン２６には給湯（湯張り）温度を設定する給湯温度設定手段や、浴槽６の水位を設定する浴槽水位設定手段や、風呂の温度を設定する風呂温度設定手段等が設けられている。
【０００８】
上記制御装置２５は、水量センサ２０等の様々なセンサ出力の情報や、給湯設定温度等のリモコン２６の情報を取り込み、これら取り込んだ情報に基づき給湯運転や湯張り運転や追い焚き運転等を次のように制御する。例えば、台所やシャワー等の給湯場所に導かれた給湯通路４の給湯栓（図示せず）が開栓され、給水通路３の通水が水量センサ２０によって検出されると、給湯運転による給湯バーナ１５の燃焼を開始して、給湯される湯温がリモコン２６に設定されている給湯設定温度となるように給湯バーナ１５の加熱熱量を上記比例弁の弁開度を制御することで（つまり、給湯バーナ１５への供給燃料ガス量を制御することで）制御し、その給湯バーナ１５の燃焼火炎の熱によって給湯熱交換器１の通水を加熱して湯を作り出し該湯を給湯通路４を通して所望の給湯場所に給湯する。上記給湯栓が閉栓され、水量センサ２０が給水通路３の通水停止を検知すると、給湯バーナ１５の燃焼を停止して、次の給湯運転に備える。
【０００９】
また、湯張り運転を次のように制御する。例えば、リモコン２６に設けられている湯張り開始ボタン等が押されてリモコン２６から湯張り開始指令が発せられると、まず、循環ポンプ８を予め定められた時間（例えば、１分間）駆動して（図５に示すフローチャートのステップ１０２）、その循環ポンプ８の駆動による追い焚き循環通路１１の循環水流を水流スイッチ２４により検出したか否かを判断する（ステップ１０３）。循環水流を水流スイッチ２４により検出できなかったときには浴槽６に湯水がない、又は、浴槽６の水位が循環金具２７の配設位置よりも低いと判断し、湯張り制御弁１３を開弁して給湯熱交換器１により上記同様にして作られた湯を給湯通路４と注湯通路１２と追い焚き循環通路１１を順に通して浴槽６に注湯する。
【００１０】
注湯を開始してから水量センサ２０により検出された流量を積算することによって注湯開始時からの注湯量が求められ、この求められた注湯開始時からの注湯量が予め定めたｘリットル（例えば、４０リットル）に達したときに湯張り制御弁１３を閉弁して浴槽６への注湯を一旦停止する（ステップ１０４）。
【００１１】
そして、上記同様に、循環ポンプ８を駆動し（ステップ１０５）、水流スイッチ２４によって循環ポンプ８の駆動による追い焚き循環通路１１の循環水流の有無を判断し（ステップ１０６）、追い焚き循環通路１１の循環水流を水流スイッチ２４により検出できなかったと判断したときには、湯張り制御弁１３を開弁して上記同様に給湯熱交換器１により作られた湯を予め定めたｙリットル（例えば、１０リットル）を浴槽６に注湯する（ステップ１０７）。
【００１２】
さらに、上記同様に、循環ポンプ８を駆動し（ステップ１０８）、循環ポンプ８の駆動による追い焚き循環通路１１の循環水流の有無を水流スイッチ２４によって判断し（ステップ１０９）、循環水流を検出できなかったときには、給湯熱交換器１により作られた湯を予め定めたｚリットル（例えば、１５リットル）だけ浴槽６に注湯する（ステップ１１０）。
【００１３】
そして、再び、循環ポンプ８を駆動し（ステップ１１１）、循環ポンプ８の駆動による追い焚き循環通路１１の循環水流の有無を水流スイッチ２４によって判断する（ステップ１１２）。循環水流を検出できなかったときには、湯張り運転を開始してから循環金具２７の配設位置を越えるのに十分な注湯量を浴槽６に注湯したのにも拘らず、循環水流を検出できないのは異常であると判断し、エラー信号を出力する（ステップ１１９）。
【００１４】
上記循環ポンプ８の駆動による追い焚き循環通路１１の循環水流の有無判断（ステップ１０３，１０６，１０９，１１２）の結果、水流スイッチ２４によって循環水流を検出できたと判断したときには、浴槽６の水位が循環金具２７の配設位置よりも上側の水位であると判断し、水位センサ１４により浴槽水位を検出することが可能となったと判断して水位センサ１４により浴槽６の水位を検出する（ステップ１１３）。
【００１５】
そして、上記水位センサ１４により検出された浴槽水位をリモコン２６に予め設定されている浴槽設定水位に比較し、上記検出水位が浴槽設定水位に達しているか否かを判断し（ステップ１１４）、上記水位センサ１４の検出水位が設定水位未満であると判断したときには、上記水位センサ１４により検出された水位を基準水位として設定し、予め定められた浴槽水位と注湯量の関係データである図４に示すＰ−Ｑデータに基づき上記設定した基準水位から上記浴槽設定水位に達するのに要する目標注湯量を検出する（ステップ１１５）。
【００１６】
例えば、基準水位が図４に示す水位Ｐshに設定され、浴槽設定水位が図４に示す水位Ｐstであるとき、上記Ｐ−Ｑデータに基づいて、浴槽設定水位Ｐstに対応する注湯量Ｑstから基準水位Ｐshに対応する注湯量Ｑshを差し引いた量が目標注湯量Ｑmhとして検出される。
【００１７】
上記目標注湯量Ｑmhが求められた後に、湯張り制御弁１３を開弁して上記同様に浴槽６への注湯を行い（ステップ１１６）、基準水位からの注湯量が上記目標注湯量Ｑmhに達したか否かの判断を行い（ステップ１１７）、基準水位からの注湯量が目標注湯量Ｑmhよりも少ないと判断したときには引き続き注湯を行って、基準水位からの注湯量が目標注湯量Ｑmhに達したと判断したときには上記注湯動作を停止し、水位センサ１４により浴槽水位を検出し（ステップ１１８）、この検出した浴槽水位が浴槽設定水位であるか否かの確認を行って（ステップ１１４）、検出した浴槽水位が浴槽設定水位に達したと判断したときに湯張り運転を終了する（ステップ１２０）。
【００１８】
追い焚き運転を行うときには、循環ポンプ８を駆動して浴槽水を追い焚き循環通路１１を通して循環させ追い焚き循環通路１１の循環水流が水流スイッチ２４により検出された以降に、追い焚きバーナ１６の燃焼を開始させ、追い焚き熱交換器２を流れる循環湯水を加熱して追い焚きを行い、風呂温度センサ２３により検出される風呂温度がリモコン２６に設定されている風呂設定温度に達したときに追い焚きバーナ１６の燃焼を停止させ、循環ポンプ８を停止して追い焚き運転を終了する。
【００１９】
【発明が解決しようとする課題】
ところで、上記の如く設定された基準水位から目標注湯量Ｑmhに向けて注湯を行っているときに、浴槽設定水位が入浴者等によって変更される場合がある。このように注湯中に、浴槽設定水位が変更された後に、変更後の浴槽設定水位に精度良く湯を張ることが可能な浴槽設定水位変更後の湯張り制御手法が望まれている。
【００２０】
この発明は、基準水位から目標注湯量に向けて浴槽に湯を落とし込んでいる注湯中に浴槽設定水位が変更された後に、変更後の浴槽設定水位に精度良く湯を張ることができる湯張り機能付き燃焼機器を提供することを目的としている。
【００２１】
【課題を解決するための手段】
上記目的を達成するために、この発明は次のような構成をもって前記課題を解決する手段としている。すなわち、第１の発明は、浴槽の側壁に連通接続されて浴槽内の湯水を循環ポンプの駆動によって循環する追い焚き循環通路と、給湯熱源器により作られた湯を前記追い焚き循環通路を介して浴槽に導くための湯張り通路と、該湯張り通路に設けられて浴槽水位を検出する水位検出手段と、湯張り通路から浴槽へ落とし込まれた注湯量を検出する注湯量検出手段とを有し、給湯熱源器から前記湯張り通路を介して浴槽に湯を断続的に注湯するごとに前記循環ポンプを駆動し、最初に追い焚き循環通路の循環水流が検出されたときの浴槽水位を基準水位として設定し、予め与えられている浴槽水位と注湯量の関係データに基づいて前記基準水位から予め定められた浴槽設定水位に達するのに必要な湯張り通路から浴槽への目標注湯量を求め、上記注湯量検出手段により検出された注湯量を監視しながら上記基準水位から上記目標注湯量の湯水を湯張り通路から浴槽に落とし込んで浴槽設定水位に自動的に湯張りを行う湯張り機能を備えた燃焼機器において、上記湯張り通路から浴槽に上記目標注湯量に向けて湯水を落とし込んでいる注湯動作中に浴槽設定水位が下げ方向に変更されたときには注湯動作を停止し、この停止時の浴槽水位を上記水位検出手段により検出する設定水位下方向変更時水位検出部と；該設定水位下方向変更時水位検出部により検出された浴槽水位が変更後の浴槽設定水位に達していないときには上記設定水位下方向変更時水位検出部により検出された浴槽水位から変更後の浴槽設定水位に達するまでに要する注湯量を上記浴槽水位と注湯量の関係データに基づき求め、この求めた注湯量の湯水を湯張り通路から浴槽に落とし込む設定水位下方向変更後湯張り制御部と；を設けた構成をもって前記課題を解決する手段としている。
【００２２】
第２の発明は、給湯熱源器により作られた湯を浴槽に導くための湯張り通路と、浴槽水位を検出する水位検出手段と、湯張り通路から浴槽へ落とし込まれた注湯量を検出する注湯量検出手段とを有し、予め与えられている浴槽水位と注湯量の関係データに基づいて上記水位検出手段により検出された浴槽水位に基づき基準水位を設定し該基準水位から予め定められた浴槽設定水位に達するのに必要な湯張り通路から浴槽への目標注湯量を求め、上記注湯量検出手段により検出された注湯量を監視しながら上記基準水位から上記目標注湯量の湯水を湯張り通路から浴槽に落とし込んで浴槽設定水位に自動的に湯張りを行う湯張り機能を備えた燃焼機器において、上記湯張り通路から浴槽に上記目標注湯量に向けて湯水を落とし込んでいる注湯動作中に浴槽設定水位が下げ方向に変更されたときには注湯動作を停止し、この停止時の浴槽水位を上記水位検出手段により検出する設定水位下方向変更時水位検出部と；該設定水位下方向変更時水位検出部により検出された浴槽水位が変更後の浴槽設定水位に達していないときには上記設定水位下方向変更時水位検出部により検出された浴槽水位から変更後の浴槽設定水位に達するまでに要する注湯量を上記浴槽水位と注湯量の関係データに基づき求め、この求めた注湯量の湯水を湯張り通路から浴槽に落とし込む設定水位下方向変更後湯張り制御部と；湯張り通路から浴槽へ目標注湯量に向けて注湯している注湯動作中に浴槽設定水位が上げ方向に変更されたときには、引き続き変更前の浴槽設定水位に基づいて求められた目標注湯量まで注湯を行った後に、水位検出手段により浴槽水位を検出し、該検出された浴槽水位と、浴槽水位と注湯量の関係データとに基づき変更後の浴槽設定水位に達するまでに要する注湯量を求め、該求めた注湯量の湯水を湯張り通路から浴槽に落とし込む設定水位上方向変更後湯張り制御部と；を設けた構成をもって前記課題を解決する手段としている。
【００２３】
第３の発明は、給湯熱源器により作られた湯を浴槽に導くための湯張り通路と、浴槽水位を検出する水位検出手段と、湯張り通路から浴槽へ落とし込まれた注湯量を検出する注湯量検出手段とを有し、予め与えられている浴槽水位と注湯量の関係データに基づいて上記水位検出手段により検出された浴槽水位に基づき基準水位を設定し該基準水位から予め定められた浴槽設定水位に達するのに必要な湯張り通路から浴槽への目標注湯量を求め、上記注湯量検出手段により検出された注湯量を監視しながら上記基準水位から上記目標注湯量の湯水を湯張り通路から浴槽に落とし込んで浴槽設定水位に自動的に湯張りを行う湯張り機能を備えた燃焼機器において、湯張り通路から浴槽へ目標注湯量に向けて注湯している注湯動作中に浴槽設定水位が上げ方向に変更されたときには、引き続き変更前の浴槽設定水位に基づいて求められた目標注湯量まで注湯を行った後に、水位検出手段により浴槽水位を検出し、該検出された浴槽水位と、浴槽水位と注湯量の関係データとに基づき変更後の浴槽設定水位に達するまでに要する注湯量を求め、該求めた注湯量の湯水を湯張り通路から浴槽に落とし込む設定水位上方向変更後湯張り制御部を設けた構成をもって前記課題を解決する手段としている。
【００２４】
上記構成の発明において、例えば、基準水位から目標注湯量の湯水を湯張り通路から浴槽に落とし込んでいる注湯中に浴槽設定水位が下げ方向に変更されたときには、注湯動作を直ちに停止し、この停止時の浴槽水位を設定水位下方向変更時水位検出部により検出する。この検出された浴槽水位が変更後の浴槽設定水位に達していないときには、上記検出された浴槽水位から変更後の浴槽設定水位に達するのに必要な注湯量を浴槽水位と注湯量の関係データに基づいて検出し、この求めた注湯量の湯水を設定水位下方向変更後湯張り制御部により注湯することで、変更後の浴槽設定水位に精度良く湯が張れる。
【００２５】
また、基準水位から目標注湯量の湯水を浴槽に落とし込んでいる注湯中に浴槽設定水位が上げ方向に変更されたときは、引き続き目標注湯量まで湯水を落とし込んだ後に、水位検出手段により浴槽水位を検出し、設定水位上方向変更後湯張り制御部により、上記検出した浴槽水位から変更後の浴槽設定水位までに必要な注湯量を求め、該求めた注湯量の湯水を浴槽に落とし込むことで、変更後の浴槽設定水位まで精度良く湯が張れる。
【００２６】
【発明の実施の形態】
以下に、この発明に係る実施形態例を図面に基づき説明する。
【００２７】
この実施形態例の湯張り機能付き燃焼機器は、前記図３に示す湯張り機能付き給湯器のシステム構成を有し、図１にはこの実施形態例において特徴的な湯張り運転の制御構成がブロック図により示されている。なお、上記図３に示す器具のシステム構成の説明は前述したのでその重複説明は省略する。
【００２８】
この実施形態例に示す制御装置２５は、図１に示すように、基準水位設定部３０と設定水位変更監視部３１と注湯量検出手段３２と設定水位下方向変更時水位検出部３３とデータ格納部３４と目標注湯量検出部３５と湯張り制御部３６と設定水位下方向変更後湯張り制御部３７と設定水位上方向変更後湯張り制御部３８とを有して構成されている。
【００２９】
注湯量検出手段３２は、水量センサ２０により検出される流量を時々刻々と取り込み、後述する基準水位設定部３０や湯張り制御部３６や設定水位下方向変更後湯張り制御部３７や設定水位上方向変更後湯張り制御部３８から発せられた注湯量検出開始指令を受け取る度にその指令を受けてからの上記水量センサ２０の検出流量を積算して、上記指令を受けてからの浴槽６への注湯量を検出する。
【００３０】
基準水位設定部３０は、湯張り開始指令がリモコン２６から発せられると、前述したような図５のフローチャートのステップ１０１〜１１２に示す動作を行って循環ポンプ８の駆動による追い焚き循環通路１１の循環水流を水流スイッチ２４により検出することができたと判断したときに、浴槽水位が循環金具２７の配設位置よりも上側となったので水位センサ１４により浴槽水位を検出することが可能となったと判断して、水位センサ１４により浴槽水位を検出する。
【００３１】
そして、基準水位設定部３０は上記検出された浴槽水位を基準水位Ｐshとして設定しデータ格納部３４に格納すると共に、基準水位が設定されたことを示す基準水位確定信号を湯張り制御部３６に出力する。
【００３２】
湯張り制御部３６は上記基準水位設定部３０から基準水位確定信号を受け取った後に、上記検出した浴槽水位をリモコン２６に設定されている浴槽設定水位に比較し、上記検出浴槽水位が浴槽設定水位に達しているか否かを判断し、検出浴槽水位が浴槽設定水位に達していないと判断したときには目標注湯量検出指令を目標注湯量検出部３５に発する。
【００３３】
目標注湯量検出部３５は湯張り制御部３６から上記目標注湯量検出指令を受け取ると、データ格納部３４に格納されている基準水位Ｐshと、リモコン２６に設定されている浴槽設定水位Ｐstとを取り込んで、これら基準水位Ｐshと浴槽設定水位Ｐstと上記データ格納部３４に予め定め格納されているＰ−Ｑデータとに基づいて、基準水位Ｐshから浴槽設定水位Ｐstに達するのに要する目標注湯量Ｑmhを検出する。そして、目標注湯量検出部３５は上記検出した目標注湯量Ｑmhの情報を湯張り制御部３６に出力する。
【００３４】
湯張り制御部３６は、上記目標注湯量検出部３５から目標注湯量Ｑmhの情報を受け取ると、湯張り制御弁１３を開弁して給湯熱交換器１により作られた湯を浴槽６に落とし込む注湯動作を開始する。この注湯開始と共に、注湯量検出開始指令を前記注湯量検出手段３２に発し、この注湯動作開始時からの注湯量を注湯量検出手段３２により検出させ、この注湯量検出手段３２により検出された注湯量を時々刻々と取り込み、この取り込んだ注湯量を上記目標注湯量Ｑmhに比較し、注湯量検出手段３２の検出注湯量が上記目標注湯量Ｑmhに達しているか否かを判断し、上記検出注湯量が目標注湯量Ｑmhに達していないと判断したときには引き続き注湯動作を継続させる。
【００３５】
また、湯張り制御部３６は上記注湯量検出手段３２の検出注湯量と目標注湯量Ｑmhとの比較の結果、注湯量検出手段３２の検出注湯量が目標注湯量Ｑmhに達したと判断したときに、湯張り制御弁１３を閉弁し、このときの水位センサ１４のセンサ出力を浴槽水位として検出し該検出された浴槽水位をリモコン２６の浴槽設定水位に比較して浴槽水位が浴槽設定水位であることを確認した後に、沸き上がり信号を出力し、例えば、リモコン２６等に設けられている沸き上がりブザー等を鳴らして風呂が沸き上がったことを報知する。
【００３６】
設定水位変更監視部３１は、リモコン２６に設定されている浴槽設定水位を時々刻々と取り込み、この取り込んだ浴槽設定水位に基づき浴槽設定水位が変更されたか否かを監視する。例えば、取り込んだ浴槽設定水位を内蔵のメモリ（図示せず）に格納すると共に、この取り込んだ浴槽設定水位を前回取り込んだ浴槽設定水位に比較し、前回取り込んだ浴槽設定水位と今回取り込んだ浴槽設定水位が異なっているか否かを判断し、今回取り込んだ浴槽設定水位が前回取り込んだ浴槽設定水位と異なっていると判断したときには浴槽設定水位が変更されたと検知し、前回取り込んだ浴槽設定水位と異なっていない、つまり、同じであると判断したときには浴槽設定水位は変更されていないと検知する。
【００３７】
また、設定水位変更監視部３１は、上記の如く、浴槽設定水位が変更されたと判断した後に、浴槽設定水位が上側に変更されたのか下側に変更されたのかを検知して浴槽設定水位の変更を監視する。例えば、今回取り込んだ浴槽設定水位と前回取り込んだ浴槽設定水位の比較により今回取り込んだ浴槽設定水位が前回取り込んだ浴槽設定水位よりも上側であるか否かを判断し、今回取り込んだ浴槽設定水位が前回取り込んだ浴槽設定水位よりも上側であると判断したときには浴槽設定水位は上側に変更されたと検知し、今回取り込んだ浴槽設定水位が前回取り込んだ浴槽設定水位よりも下側と判断したときには浴槽設定水位は下側に変更されたと検知する。
【００３８】
設定水位下方向変更後湯張り制御部３７は、上記設定水位変更監視部３１の監視情報と湯張り制御部３６の動作情報を時々刻々と取り込み、それら情報に基づき上記目標注湯量検出部３５により検出された目標注湯量Ｑmhに向けて注湯しているときに浴槽設定水位が下方向に変更されたと検知したときには、湯張り制御部３６の注湯動作を停止させ、つまり、湯張り制御弁１３を閉弁して注湯動作を停止し、かつ、設定水位下方向変更信号を設定水位下方向変更時水位検出部３３に出力する。
【００３９】
設定水位下方向変更時水位検出部３３は、上記湯張り制御部３６から設定水位下方向変更信号を受けたときには、この停止時の浴槽水位を水位センサ１４により検出し、この水位センサ１４により検出された浴槽水位に対応する信号を設定水位下方向変更後湯張り制御部３７に出力する。
【００４０】
設定水位下方向変更後湯張り制御部３７は設定水位下方向変更時水位検出部３３から検出浴槽水位の情報を受け取ると、設定水位下方向変更時水位検出部３３により検出された浴槽水位をリモコン２６に設定された変更後の浴槽設定水位に比較し、検出浴槽水位が変更後の浴槽設定水位に達しているか否かを判断し、検出浴槽水位が変更後の浴槽設定水位に達したと判断したときには浴槽に設定水位の湯が張られたことを示す沸き上がり信号を出力し、上記同様に風呂が沸き上がったことを報知する。
【００４１】
また、設定水位下方向変更後湯張り制御部３７は、上記検出浴槽水位と変更後の浴槽設定水位の比較により検出浴槽水位が変更後の浴槽設定水位未満であると判断したときには、上記検出浴槽水位の情報と共に不足注湯量検出指令を目標注湯量検出部３５に出力し、目標注湯量検出部３５は設定水位下方向変更時水位検出部３３により検出された浴槽水位と、リモコン２６に設定されている変更後の浴槽設定水位と、前記Ｐ−Ｑデータとに基づいて、上記設定水位下方向変更時水位検出部３３の検出浴槽水位から変更後の浴槽設定水位に達するのに必要な注湯量を検出し、この検出した不足の注湯量の情報を設定水位下方向変更後湯張り制御部３７に送出する。
【００４２】
設定水位下方向変更後湯張り制御部３７は目標注湯量検出部３５から不足の注湯量の情報を受け取った後に、湯張り制御弁１３を開弁させて注湯を再開させると同時に、注湯量検出開始指令を注湯量検出手段３２に出力して、設定水位下方向変更後湯張り制御部３７により湯張り制御弁１３が開弁されてからの浴槽６への注湯量を注湯量検出手段３２に検出させる。
【００４３】
設定水位下方向変更後湯張り制御部３７は湯張り制御弁１３の開弁後、注湯量検出手段３２により検出された注湯量を時々刻々と取り込み、この取り込んだ注湯量を前記目標注湯量検出部３５により検出された不足注湯量に比較し、注湯量検出手段３２の検出注湯量が上記不足注湯量に達したか否かを判断し、検出注湯量が不足注湯量に達したと判断したときに湯張り制御弁１３を閉弁して注湯動作を停止し、この停止時の浴槽水位を水位センサ１４により検出し、この水位センサ１４の検出水位がリモコン２６に設定されている変更後の浴槽設定水位に達していることを確認した後に、沸き上がり信号を出力し、前記したような手法で沸き上がりを報知する。
【００４４】
設定水位上方向変更後湯張り制御部３８は前記設定水位変更監視部３１の監視情報と湯張り制御部３６の動作情報を時々刻々と取り込み、これら取り込んだ情報に基づき前記目標注湯量Ｑmhに向けて注湯を行っている注湯動作中に浴槽設定水位が上方向に変更されたことを検知したときには、引き続き湯張り制御部３６により変更前の浴槽設定水位に基づいて求められた目標注湯量Ｑmhまで注湯を継続して行わせる。つまり、湯張り制御部３６は、注湯中に浴槽設定水位が上側に変更された後にも引き続き注湯量検出手段３２により検出された前記基準水位からの注湯量を上記変更前の浴槽設定水位に基づいて検出された目標注湯量Ｑmhに比較し、上記基準水位からの注湯量が目標注湯量Ｑmhに達したか否かを判断し、基準水位からの注湯量が目標注湯量Ｑmhに達したと判断したときに湯張り制御弁１３を閉弁する。
【００４５】
設定水位上方向変更後湯張り制御部３８は、浴槽設定水位が上側に変更されたことを検知した以降に、変更前の浴槽設定水位に基づいて求められた目標注湯量Ｑmhまで注湯が終了したことを湯張り制御部３６の動作情報から検知したときには、水位センサ１４により検出された浴槽水位を取り込んで、この検出浴槽水位の情報と不足注湯量検出指令を目標注湯量検出部３５に出力して、この検出浴槽水位から変更後の浴槽設定水位に達するのに必要な不足注湯量を目標注湯量検出部３５により前記の如く検出させる。目標注湯量検出部３５は求めた不足注湯量の情報を設定水位上方向変更後湯張り制御部３８に出力する。
【００４６】
設定水位上方向変更後湯張り制御部３８は、上記目標注湯量検出部３５から不足注湯量の情報を受け取ると、湯張り制御弁１３を開弁して注湯を再開させると同時に、注湯量検出開始指令を注湯量検出手段３２に発し、この湯張り制御弁１３の開弁時からの注湯量を注湯量検出手段３２により検出させる。
【００４７】
そして、設定水位上方向変更後湯張り制御部３８は湯張り制御弁１３の開弁後、注湯量検出手段３２により検出される注湯量を時々刻々と取り込み、注湯量を取り込む度に該取り込んだ注湯量を前記目標注湯量検出部３５により検出された不足注湯量に比較し、上記検出注湯量が上記不足注湯量に達したか否かを判断し、検出注湯量が上記不足注湯量に達したと判断したときに変更後の浴槽設定水位まで湯を張ることができたと判断し、湯張り制御弁１３を閉弁する。そして、設定水位上方向変更後湯張り制御部３８は、確認のために、水位センサ１４により浴槽水位を検出して該検出浴槽水位を変更後の浴槽設定水位に比較し、検出浴槽水位が浴槽設定水位であると判断したときに、沸き上がり信号を出力して、前記同様にして沸き上がりを報知する。
【００４８】
また、上記設定水位下方向変更後湯張り制御部３７と設定水位上方向変更後湯張り制御部３８は、互いの動作情報を時々刻々と遣り取りし、上記の如く制御部３７，３８により変更後の浴槽設定水位までの不足注湯量を注湯しているときに、再び、浴槽設定水位が変更され、その浴槽設定水位の変更方向が上側であるときには、上記同様に引き続き注湯を行って上記不足注湯量を注湯し終えた後に、前記設定水位上方向変更後湯張り制御部３８が再変更後の浴槽設定水位に基づいて上記設定水位上方向変更後の湯張り制御を行い、浴槽設定水位が下方向に変更されたときには注湯動作を停止して、設定水位下方向変更後湯張り制御部３７が再変更後の浴槽設定水位に基づいて上記設定水位下方向変更後の湯張り制御を行う。
【００４９】
この実施形態例において特徴的な湯張り制御の構成は上記のように構成されており、以下に、上記構成の湯張り制御の動作例を図２と図５のフローチャートに基づき簡単に説明する。まず、リモコン２６から湯張り開始指令が発せられると、前述したような図５のフローチャートのステップ１０２〜１１２の動作を行って循環ポンプ８による追い焚き循環通路１１の循環水流を水流スイッチ２４により検出されたときには、図２のフローチャートのステップ１１３に示すように、水位センサ１４により検出された浴槽水位を取り込んで、次に、ステップ２０１に示すように、上記検出浴槽水位をリモコン２６に設定されている浴槽設定水位に比較し、上記検出浴槽水位が浴槽設定水位に達しているか否かを判断する。
【００５０】
そして、上記検出浴槽水位が浴槽設定水位に達していないと判断したときに、上記検出浴槽水位を基準水位として設定し、ステップ２０２で、設定された基準水位から浴槽設定水位に達するのに要する目標注湯量Ｑmhを目標注湯量検出部３５により検出し、ステップ２０３で、湯張り制御部３６により湯張り制御弁１３を開弁して上記目標注湯量Ｑmhに向けて注湯を開始すると共に、基準水位からの注湯量の検出を注湯量検出手段３２により開始する。
【００５１】
注湯開始後、ステップ２０４で、浴槽設定水位が変更されたか否かを設定水位変更監視部３１により監視し、浴槽設定水位が変更されたと判断されたときには、ステップ２０７で、浴槽設定水位が上方向に変更されたか否かを判断し、上方向に変更されていないと判断したときには、浴槽設定水位は下方向に変更されたとステップ２０８で判断し、ステップ２０９で設定水位下方向変更後湯張り制御部３７は直ちに湯張り制御弁１３を閉弁して湯張り制御部３６による注湯動作を停止させる。
【００５２】
そして、ステップ２０６で、この停止時の浴槽水位を設定水位下方向変更時水位検出部３３が水位センサ１４のセンサ出力により検出し、この検出された浴槽水位が変更後の浴槽設定水位に達しているか否かを判断する上記ステップ２０１の動作を行い、検出浴槽水位が変更後の浴槽設定水位に達していないと判断したときには、ステップ２０２で上記検出浴槽水位から変更後の浴槽設定水位に達するのに要する不足注湯量を目標注湯量検出部３５が検出し、ステップ２０３で設定水位下方向変更後湯張り制御部３７により湯張り制御弁１３を開弁して注湯を開始すると共に、この注湯開始時からの注湯量の検出を注湯量検出手段３２が開始する。
【００５３】
そして、前記浴槽設定水位が変更になったか否かの判断をするステップ２０４の動作を行い、浴槽設定水位が変更されなかったときには、ステップ２０５で、注湯量検出手段３２により検出された注湯量を上記目標注湯量検出部３５により検出された不足注湯量に比較し、検出注湯量が不足注湯量に達したか否かを判断し、不足注湯量分注湯し終えたと判断したときに、ステップ２０６で、水位センサ１４により浴槽水位を検出し、この検出浴槽水位がリモコン２６に設定されている変更後の浴槽設定水位に達していることをステップ２０１で確認し、確認がなされた後に沸き上がりを報知するための沸き上がり信号を出力する。
【００５４】
また、上記ステップ２０７で注湯中に浴槽設定水位が上方向に変更になったと判断したときには、ステップ２０５で、湯張り制御部３６により、基準水位からの注湯量を変更前の浴槽設定水位に基づいて検出された目標注湯量Ｑmhに比較し、基準水位からの注湯量が上記目標注湯量Ｑmhに達したか否かを判断し、基準水位からの注湯量が目標注湯量Ｑmhに達したと判断したときに、ステップ２０６で、水位センサ１４により浴槽水位を検出する。
【００５５】
この検出された浴槽水位がリモコン２６に設定されている変更後の浴槽設定水位に達しているか否かを判断するステップ２０１の動作を行い、上方向に設定水位が変更されていることから、浴槽設定水位は浴槽設定水位に達しておらず、この検出浴槽水位から変更後の浴槽設定水位に達するのに要する不足注湯量をステップ２０２で目標注湯量検出部３５が検出し、ステップ２０３〜２０５の動作で、上記求めた不足注湯量の湯水を浴槽６に落とし込み、不足注湯量の湯水を浴槽６に落とし終えたと判断されたときに、ステップ２０６で水位センサ１４により浴槽水位を検出し、ステップ２０１で検出浴槽水位がリモコン２６に設定されている変更後の浴槽設定水位に達したことを確認して沸き上がりを報知し、湯張り運転を終了する。
【００５６】
また、湯張り制御部３６により目標注湯量Ｑmhに向けて注湯しているときに浴槽設定水位が変更されなかったときには、基準水位からの注湯量が目標注湯量Ｑmhに達するまで注湯を継続して行い、基準水位からの注湯量が目標注湯量Ｑmhに達したとステップ２０５で判断されたときに、ステップ２０６で、水位センサ１４により浴槽水位を検出し、ステップ２０１で上記検出浴槽水位が浴槽設定水位に達していることを確認して、ステップ２１０で風呂の沸き上がりを報知する。
【００５７】
この実施形態例によれば、基準水位から目標注湯量に向けて注湯を行っているときに浴槽設定水位が下方向に変更になったときには、直ちに、湯張り制御弁１３を閉弁して注湯動作を停止し、この停止時の浴槽水位を水位センサ１４により検出し、この検出した浴槽水位が変更後の浴槽設定水位よりも低いときには、上記停止時の浴槽水位から変更後の浴槽設定水位に達するのに要する不足注湯量を検出し、この不足注湯量を注湯し変更後の浴槽設定水位に湯を張る構成を備えたので、下方向に変更された浴槽設定水位に正確に湯を張ることが可能である。
【００５８】
ところで、湯張り運転時に、上記基準水位から目標注湯量に向けて注湯を行っているときに、入浴者等により浴槽設定水位が変更された場合に、浴槽設定水位が変更された後の湯張り制御手法として、例えば、上記基準水位から変更後の浴槽設定水位までの注湯量を演算し直し、この再演算により求められた注湯量に向かって注湯を行う手法が提案されている（特許第２５６２７５５号公報参照）。
【００５９】
しかしながら、上記手法では、浴槽設定水位が下方向に変更されたときに、変更後の浴槽設定水位までの注湯量を基準水位に基づいて演算し直して変更後の浴槽設定水位に向かって湯張りを行うので、次に示す理由により入浴者が所望する浴槽設定水位に湯を張ることができないという問題が生じる。
【００６０】
上記理由とは、湯張り運転時に、浴槽６の水位が循環金具２７の配設位置又はその上側の近傍領域の水位であるときには、追い焚き循環通路１１等の湯張り通路内の水中に気泡が点在していることがあり、この場合、上記気泡に起因して浴槽６の水位からずれた水位が水位センサ１４によって検出される虞があり、この浴槽６の水位からずれた水位センサ１４の検出水位が基準水位として設定される場合がある。
【００６２】
目標注湯量の注湯中に浴槽設定水位が下方向に変更されるときには、上記のように、基準水位が正確でないことが考えられるのにも拘らず、上記提案の設定水位変更後の湯張り手法では、上記基準水位に基づいて変更後の浴槽設定水位までの注湯量を求めるので、入浴者が所望する浴槽設定水位に湯を張ることができない虞がある。
【００６３】
この実施形態例では、上記の如く、注湯中に浴槽設定水位が下方向に変更されたときには、直ちに、注湯を停止し、この停止時の浴槽水位を水位センサ１４により検出する。浴槽水位が循環金具２７の配設位置やその上側の近傍領域であるときに湯張り通路の水中に点在していた気泡は、その後の湯張りの水流によって浴槽６に押し出され、上記の如く、入浴者が所望の水位よりも上側の水位に湯が張られそうだと判断して浴槽設定水位を下方向に変更する頃には、湯張り通路内の気泡はほぼ完全に抜け切っており、このような状態で水位センサ１４により検出される浴槽水位は正確である。
【００６４】
上記のように精度良く検出された浴槽水位に基づき、検出浴槽水位が変更後の浴槽設定水位に達しているか否かの判断が行われ、検出浴槽水位が変更後の浴槽設定水位未満であるときには上記検出浴槽水位から変更後の浴槽設定水位に達するのに必要な注湯量を求めて該求めた注湯量を浴槽に落とし込むので、変更後の浴槽設定水位に精度良く湯を張ることが可能である。
【００６５】
また、注湯中に浴槽設定水位が上方向に変更されたときには、引き続き変更前の浴槽設定水位に基づいて求められた目標注湯量Ｑmhまで注湯を行うので、変更後の浴槽設定水位に近い水位まで迅速に注湯を行わせることができ、その後、変更後の浴槽設定水位に達するのに必要な不足の注湯量を求め、該求めた不足注湯量を注湯して変更後の浴槽設定水位まで湯を張る構成を備えているので、上記同様に湯張り通路内の気泡に起因した基準水位の不正確さの悪影響を受けずに、変更後の浴槽設定水位までの不足注湯量を正確に検出することができ、変更後の浴槽設定水位に精度良く湯を張ることができる。
【００６６】
なお、この発明は上記実施形態例に限定されるものではなく、様々な実施の形態を採り得る。上記実施形態例では、湯張り運転開始後、循環ポンプ８の駆動と、水流スイッチ２４を利用した追い焚き循環通路１１の循環水流の有無判断を行って、水流スイッチ２４により追い焚き循環通路１１の循環水流が最初に検出されたときに、水位センサ１４により浴槽水位を検出し、この水位を基準水位として設定していたが、例えば、参考例として水流スイッチ２４により追い焚き循環通路１１の循環水流が最初に検出されてから予め定めた注湯量（例えば、１０リットル）を注湯した後の浴槽水位を水位センサ１４により検出し、この検出された浴槽水位を基準水位として確定することも可能である。
【００６７】
また、上記実施形態例では、湯張り制御部３６による注湯動作中に浴槽設定水位が下方向に変更されたときに注湯動作を停止し、この停止時の浴槽水位を水位センサ１４により検出して該検出浴槽水位が浴槽設定水位に達していないときには上記検出した浴槽水位に基づいて変更後の浴槽設定水位に達するのに要する不足注湯量を検出し、その後、注湯を再開して該注湯再開時からの注湯量が上記不足注湯量に達するまで注湯を行って変更後の浴槽設定水位まで湯張りを行っていたが、例えば、参考例として、注湯中に浴槽設定水位が下方向に変更されたときに検出された浴槽水位が変更後の浴槽設定水位未満であるときに、基準水位を次のように補正する基準水位補正手段を設け、該基準水位補正手段により補正された基準水位に基づいて変更後の浴槽設定水位までに必要な基準水位からの注湯量を求め、注湯を再開して、基準水位からの注湯量が上記変更後の浴槽設定水位に基づいた注湯量に達するまで注湯を行って変更後の浴槽設定水位まで湯を張るようにしてもよい。
【００６８】
上記基準水位補正部は、注湯中に浴槽設定水位が下方向に設定され注湯が停止されたときに水位センサ１４により検出された浴槽水位が変更後の浴槽設定水位未満であると検知されたときに、上記停止時の検出浴槽水位を取り込むと共に、基準水位からの注湯量を注湯量検出手段３２から取り込み、また、データ格納部３４から基準水位の情報を取り込む。
【００６９】
そして、基準水位補正部は、上記取り込んだ基準水位からの注湯量に対応した水位分だけ前記基準水位から上昇させた水位を前記Ｐ−Ｑデータに基づき検証対象水位として求め、この求めた検証対象水位と前記停止時の検出浴槽水位を比較し、上記検証対象水位が検出浴槽水位からずれているときには、以前に設定された基準水位は湯張り通路内の気泡に起因して不正確な水位であったと判断して、上記検出浴槽水位に対する検証対象水位のずれ量に応じて上記基準水位を補正する。
【００７０】
注湯中に浴槽設定水位が下方向に変更されたときの検出浴槽水位が変更後の浴槽設定水位未満であるときに、上記のように、基準水位補正部により補正された基準水位に基づき変更後の浴槽設定水位に達するのに要する基準水位からの注湯量を求めることによって、上記基準水位は正確であることから、上記再検出された注湯量は正確であり、この注湯量に向けて注湯を再開することによって、変更後の浴槽設定水位に精度良く湯を張ることができる。
【００７１】
さらに、上記実施形態例では、注湯中に浴槽設定水位が上方向に変更になったときには、引き続き変更前の浴槽設定水位に基づいた目標注湯量Ｑｍｈまで注湯を行った後に、浴槽水位を検出し、この検出水位に基づいて変更後の浴槽設定水位に達するのに必要な注湯量を求め該求めた注湯量の湯水を浴槽に落とし込んでいたが、参考例として、注湯中に浴槽設定水位が変更になったときに、注湯動作を中断して水位センサ１４により浴槽水位を検出し、この検出水位に基づき変更後の浴槽設定水位に達するのに必要な不足注湯量を求め、この不足注湯量の湯水を浴槽６に落とし込んで変更後の浴槽設定水位に湯を張るようにすることも可能である。
【００７２】
さらに、上記実施形態例では、図３に示す湯張り機能付き給湯器を例にして説明したが、この発明は、図３の器具以外の湯張り機能付き燃焼機器にも適用することができる。例えば、図３に示す器具では、給湯熱交換器１と追い焚き熱交換器２にそれぞれ対応する別個のバーナ１５，１６が設けられた二缶二水路タイプの湯張り機能付き燃焼機器であったが、給湯熱交換器１と追い焚き熱交換器２が一体化され該一体化された熱交換器１，２を共通に燃焼加熱するバーナが設けられている一缶二水路タイプの燃焼機器にも、この発明は適用することができる。また、給湯熱交換器１と給湯バーナ１５により給湯熱交換器１の通水を燃焼加熱する給湯熱源器を構成していたが、電気ヒータ等により給湯熱源器を構成し、この給湯熱源器により作られた湯を浴槽６に落とし込むタイプの湯張り機能付き燃焼機器にもこの発明は適用することができる。さらにまた、水位センサ１４は注湯通路１２に設けられていたが、追い焚き循環通路１１等に水位センサ１４を設けるようにしてもよい。
【００７３】
【発明の効果】
設定水位下方向変更時水位検出部と設定水位下方向変更後湯張り制御部が設けられ、これらの制御動作によって、注湯中に浴槽設定水位が下方向に変更されたときに、直ちに、注湯を停止し、この停止時の浴槽水位を水位検出手段により検出し、該検出浴槽水位が変更後の浴槽設定水位に達していないときには上記検出浴槽水位から変更後の浴槽設定水位に達するのに必要な注湯量を求め、この求めた注湯量の湯水を浴槽に落とし込む構成を備えたものにあっては、注湯中の浴槽設定水位変更時には湯張り通路内の水中から気泡が殆ど抜け切っており上記気泡の悪影響を受けることなく水位検出手段により精度良く浴槽設定水位を検出することができることから、変更後の浴槽設定水位までに必要な不足注湯量を求めるときに、浴槽設定水位変更時の検出浴槽水位を用いることによって、上記不足注湯量を正確に求めることができ、変更後の浴槽設定水位に精度良く湯を張ることが可能である。
【００７４】
また、設定水位上方向変更後湯張り制御部が設けられ、該制御部の制御動作によって、注湯動作中に浴槽設定水位が上方向に変更されたときには、引き続き変更前の浴槽設定水位に基づいて求められた目標注湯量まで注湯を行った後に、水位検出手段により浴槽水位を検出し、該検出浴槽水位に基づいて変更後の浴槽設定水位までに必要な不足の注湯量を求め、該求めた注湯量を浴槽に落とし込む構成を備えたものにあっては、変更前の浴槽設定水位に基づいた目標注湯量まで注湯し終えた後に検出された浴槽水位に基づいて不足注湯量が求められるので、上記同様に、変更後の浴槽設定水位に達するのに要する不足注湯量をより正確に求めることができ、変更後の浴槽設定水位に精度良く湯を張ることができる。
【図面の簡単な説明】
【図１】この発明に係る実施形態例において特徴的な湯張り運転を制御する制御構成を示す説明図である。
【図２】この実施形態例において特徴的な湯張り運転中における浴槽設定水位の変更後の制御動作例を示すフローチャートである。
【図３】湯張り機能付き燃焼機器の一例を示すモデル図である。
【図４】Ｐ−Ｑデータの一例を示すグラフである。
【図５】湯張り運転の制御動作の一例を示すフローチャートである。
【符号の説明】
１  給湯熱交換器
４  給湯通路
１１  追い焚き循環通路
１２  注湯通路
１４  水位センサ
１５  給湯バーナ
２０  水量センサ
３０  基準水位設定部
３２  注湯量検出手段
３３  設定水位下方向変更時水位検出部
３７  設定水位下方向変更後湯張り制御部
３８  設定水位上方向変更後湯張り制御部
【図１】
0003824753.tif 000002
【図２】
0003824753.tif 000003
【図３】
0003824753.tif 000004
【図４】
0003824753.tif 000005
【図５】
0003824753.tif 000006